(57)【要約】【課題】需要者の好みに合ったスタンプ装置を提供する。【解決手段】スタンプセット４は、（ａ）一方端面１０ｂから他方端面１０ａに貫通する貫通孔１１が形成された本体と１０と、（ｂ）本体１０の一方端面１０ｂ側から貫通孔１１に挿通され、被接合物に本体１０をねじ止めするねじ部材２０と、（ｃ）本体１０の一方端面１０ｂに固定されるスタンプ部材３０とを備える。好ましくは、（ｄ）本体１０に着脱されてスタンプ部材３０を覆う蓋部材４０を備える。【選択図】図１
2008265025.tif 000002
【特許請求の範囲】
【請求項１】
一方端面から他方端面に貫通する貫通孔が形成された本体と、
前記本体の前記一方端面側から前記貫通孔に挿通され、被接合物に前記本体をねじ止めするねじ部材と、
前記本体の前記一方端面に固定されるスタンプ部材と、
を備えたことを特徴とする、スタンプセット。
【請求項２】
前記本体の前記一方端面側から前記スタンプ部材を覆うように、前記本体に着脱自在に取り付けられる蓋部材を備えたことを特徴とする、請求項１に記載のスタンプセット。
【請求項３】
前記ねじが挿通される貫通孔を有し、前記本体の前記他方端面と前記被接合物との間に配置される台板をさらに備えたことを特徴とする、請求項１又２に記載のスタンプセット。
【発明の詳細な説明】
【技術分野】
【０００１】
本発明は、スタンプセットに関し、詳しくは、フィギュア等の被接合物に取り付けるスタンプセットに関する。
【背景技術】
【０００２】
従来、動物やマスコット、キャラクターなどの所定形状の飾り部を備えたスタンプ装置が提案されている（例えば、特許文献１参照）。
【特許文献１】実用新案登録第３０６３１８２号公報
【発明の開示】
【発明が解決しようとする課題】
【０００３】
このようなスタンプ装置は、予め作製された所定形状の飾り部を備えた状態で販売される。しかし、飾り部に用いる動物やマスコット、キャラクターなどの形状の好みは千差万別であり、流行に左右されやすい。そのため、予め作製された所定形状の飾り部を備えたスタンプ装置は、限られた需要者にしか受け入れられない。
【０００４】
本発明は、かかる実情に鑑み、需要者の好みに合ったスタンプ装置を提供しようとするものである。
【課題を解決するための手段】
【０００５】
本発明は、上記課題を解決するために、以下のように構成したスタンプセットを提供する。
【０００６】
スタンプセットは、（ａ）一方端面から他方端面に貫通する貫通孔が形成された本体と、（ｂ）前記本体の前記一方端面側から前記貫通孔に挿通され、被接合物に前記本体をねじ止めするねじ部材と、（ｃ）前記本体の前記一方端面に固定されるスタンプ部材とを備える。
【０００７】
上記構成によれば、被接合物にねじ部材を用いて本体をねじ止めした後、スタンプ部材を本体の一方端面に固定することによって、被接合物が飾り部となったスタンプ装置を提供することができる。スタンプセットを取り付ける被接合部材は、自由に選択することができる。
【０００８】
好ましくは、前記本体の前記一方端面側から前記スタンプ部材を覆うように、前記本体に着脱自在に取り付けられる蓋部材を備える。
【０００９】
この場合、蓋部材を本体に取り付けることによって、スタンプ部材が露出しないようにして、スタンプ部材との接触による汚れを防止することができるので、スタンプセットが取り付けられた被接合物の持ち運びが容易になる。
【００１０】
好ましくは、前記ねじが挿通される貫通孔を有し、前記本体の前記他方端面と前記被接合物との間に配置される台板をさらに備える。
【００１１】
この場合、例えば、被接合物に応じて適宜な色、材質、形状の台板を用いることによって、スタンプセットが取り付けられた被接合物のデザイン性を高めることができる。
【発明の効果】
【００１２】
本発明によれば、フィギュア等の被接合物を自由に選択してスタンプセットを取り付けることにより、需要者の好みに合ったスタンプ装置を提供することができる。
【発明を実施するための最良の形態】
【００１３】
以下、本発明の実施の形態について、図１〜図４を参照しながら説明する。
【００１４】
＜実施例１＞  実施例１のスタンプセット４について、図１〜図３を参照しながら説明する。
【００１５】
図１の分解斜視図に示すように、スタンプセット４は、本体１０と、ねじ２０と、スタンプユニット３０と、キャップ４０とを含む。
【００１６】
本体１０は、略筒状の形状であり、図において上面１０ａには、開口形状が略正方形の凹部１２が形成されている。図２は、本体１０を図において下面１０ｂ側から見た斜視図である。図２に示すように、本体１０の下面１０ｂには、開口形状が略円形の凹部１８が形成されている。図１、図２及び図３の組立断面図に示すように、本体１０の中心には、貫通孔１１が形成されている。貫通孔１１は、上部１１ａと下部１１ｂで内径が異なる。すなわち、上部１１ａの内径は、ねじ２０の軸径よりも大きいが、ねじ２０の頭２２の外径よりも小さい。下部１１ｂの内径は、ねじ２０の頭２２の外径よりも大きい。
【００１７】
本体１０は、図において上部１５の外径が、下部１４の外径よりも大きい。下部１４には、図１に示すように、軸方向に延在する第１部分１６ａと周方向に延在する第２部分１６ｂとが接続された略Ｌ字状の浅い溝１６が、１２０度ごとに形成されている。第２部分１６ｂの溝底面には、軸方向に延在し径方向に突出した隆起部１７が形成されている。
【００１８】
スタンプユニット３０は、インクを保持するスポンジ状のインク保持部３４の一方主面に、インクが透過する微小な貫通孔（図示せず）が形成された画像形成シート３６が配置され、他方主面には接着層３２が形成され、接着層３２は剥離シート３１で覆われている。画像形成シート３６が紙などのシートに押圧されると、インク保持部３４に保持されているインクが画像形成シート３６の貫通孔を通って、紙などのシートに付着して、スタンプ画像が形成される。
【００１９】
キャップ４０は、一端のみが開口した筒状の部材であり、本体１０の下部１４に、着脱自在に嵌合する。キャップ４０の内周面４４には、１２０度ごとに突起４５が形成されている。キャップ４０の外周面４２と、本体１０の上部１５とは、外径が略等しい。
【００２０】
次に、スタンプセット４を被接合物２に取り付ける手順について、図３の断面図を参照しながら説明する。
【００２１】
本体１０の下面１０ｂ側から、貫通孔１１にねじ２０を挿入し、本体１０の上面１０ａ側から突出した先端部分を、被接合物２にねじ込み、本体１０を被接合物２にねじ止める。このとき、被接合物２には、ねじ２０のねじ込みが容易となるように、予め下穴をドリルやキリ等を用いて加工しておくことが好ましい。
【００２２】
また、接着剤等を併用することが好ましい。例えば、被接合物２と本体１０との間に接着剤を塗布して、被接合物２と本体１０との間の接合を強化する。あるいは、ねじ２０のねじ面や頭２２に接着剤を塗布し、ねじ２０が弛まないようにする。
【００２３】
次いで、スタンプユニット３０から剥離シート３１を外し、スタンプユニット３０を、スタンプユニット３０の接着層３２を介して、本体１０の下面１０ｂに形成された凹部１８内に接合する。
【００２４】
次いで、キャップ４０に本体１０に嵌めて、スタンプユニット３０の画像形成シート３６を覆う。詳しくは、キャップ４０の内周面４４に設けた突起４５が、本体１０の下部１４の溝１６の第１部分１６ａに挿入されるように、キャップ４０を本体１０側に押し込んだ後、キャップ４０を本体１０に対して回転する。キャップ４０を回転するとき、キャップ４０の突起４５が、本体１０の溝１６の第２部分１６ｂの底面に設けられた隆起部１７に当たり、抵抗力が生じるため、少し力を加えてキャップ４０を回転する。突起４５が隆起部１７を超えて第２部分１６ｂの先端側に移動すると、キャップ４０は外れない状態が保持される。
【００２５】
キャップ４０を本体１０から取り外すときには、少し力を加えてキャップ４０を逆方向に回転した後、軸方向に本体１０から引っ張る。
【００２６】
スタンプセット４を取り付ける被接合物２としては、種々のものが市販され、入手が容易であるフィギュアが好ましい。
【００２７】
スタンプセット４は、被接合物２を自由に選択し、それに取り付けることによって、スタンプ機能を追加することができる。キャップ４０を取り付けて画像形成シート３６のスタンプ面を覆うことによって、スタンプ面で汚れる心配がなくなるので、スタンプセット４が取り付けられた被接合物２は、持ち運びが容易になる。
【００２８】
被接合物２と関連するスタンプ画像を形成するスタンプユニット３０を用いてもよい。例えば、キャラクターの形状を模したフィギュアに、そのキャラクターのスタンプ画像を形成するスタンプユニットを含むスタンプセットを取り付ける。
【００２９】
＜実施例２＞  実施例２のスタンプセット５について、図４を参照しながら説明する。
【００３０】
図４の断面図に示すように、実施例２のスタンプセット５は、実施例１のスタンプセット４（すなわち、本体１０、ねじ２０、スタンプユニット３０、キャップ４０）に、台板５０を加えたものである。
【００３１】
台板５０は、本体１０と被接合物２との間に配置される。台板５０には、貫通孔５２が形成され、ねじ２０が挿通される。台板５０の片面（図において下面）５０ｂには、四角錐台形状の突起５４が形成されている。この突起５４は、本体１０の上面１０ａに形成された凹部１２に嵌合し、本体１０と台板５０との相対回転を阻止する。
【００３２】
図４では、台板５０は円形の板部材であり、台板５０の外径が本体１０の上部１５やキャップ４０の外周面４２の外径と略等しい場合を例示している。台板の形状は、これに限るものではなく、例えば、本体１０やキャップ４０よりも径方向に大きい形状であってもよい。
【００３３】
台板５０を追加することによって、スタンプセット５が取り付けられた被接合物２のデザイン性を高めることができる。例えば、被接合物２が人物やキャラクター、乗り物などのフィギュアである場合、フィギュアの足元になる底面として適切な材質、形状、色の台板５０を用いる。この場合、本体１０及びキャップ４０は、色々な台板５０に共通して用いることができるように、例えば、白色の樹脂で製作することが好ましい。
【００３４】
＜まとめ＞  以上に説明したように、スタンプセットは、自由に選択した被接合物に取り付けることができるので、需要者の好みに合ったスタンプ装置を提供することができる。
【００３５】
なお、本発明は、上記の実施の形態に限定されるものではなく、種々変更を加えて実施することができる。
【００３６】
例えば、スタンプ部材は、実施例のように貫通孔をインクが透過するタイプのものに限らず、微小凹部内に保持されたインクが転写されるものや、インクが浸透している凸面を有するものなど、他のタイプのものであってもよい。
【図面の簡単な説明】
【００３７】
【図１】分解斜視図である。（実施例１）
【図２】本体を下から見た斜視図である。（実施例１）
【図３】組立断面図である。（実施例１）
【図４】組立断面図である。（実施例２）
【符号の説明】
【００３８】
４，５  スタンプセット
１０  本体
２０  ねじ
３０  スタンプユニット（スタンプ部材）
４０  キャップ（蓋部材）
５０  台板
【図１】
2008265025.tif 000003
【図２】
2008265025.tif 000004
【図３】
2008265025.tif 000005
【図４】
2008265025.tif 000006